(57)【特許請求の範囲】
【請求項１】
所定の表示装置を壁面に取り付ける壁掛取付装置であって、
固定対象となる壁面に対向して設置するための設置面を有し、少なくとも前記表示装置の後部を取り囲む枠体を備え、
前記枠体の設置面は、
壁面に設けられる所定の金具により掛止可能な掛止用開口部と、
壁面に前記枠体をネジ止め固定するために前記掛止用開口部の上部及び下部に設けられ、所定のネジ止め位置自由度を有する複数の固定用ネジ穴と、
前記掛止用開口部の上部に設けられた固定用穴に隣接して設けられた複数の位置決め用穴とを有し、
前記複数の固定用ネジ穴それぞれは前記所定のネジ止め位置自由度を有するように、前記複数の位置決め用穴より開口領域が広く形成される、
壁掛取付装置。
【請求項２】
請求項１記載の壁掛取付装置であって、
前記枠体内に設けられ、前記所定の表示装置を取り付ける表示装置取付部と、
前記表示装置取付部に取り付けられた前記所定の表示装置を冷却した空気を排気する排気部とをさらに備える、
壁掛取付装置。
【請求項３】
請求項２記載の壁掛取付装置であって、
前記枠体の外形は第１の方向及び第２の方向で規定される矩形状を呈し、
前記排気部は前記第２の方向へ延びる排気用通路を有し、
前記排気用通路は、前記壁掛取付装置を前記第２の方向に沿って複数個配設した際、配設された複数の壁掛取付装置間で連続的に繋がるように設けられる、
壁掛取付装置。
【請求項４】
請求項２または請求項３記載の壁掛取付装置であって、
前記枠体は外部からの吸気用の複数の吸気口を有し、
前記複数の吸気口は、前記壁掛取付装置を前記第１の方向及び第２の方向に沿って複数個配設した際、前記第１及び第２の方向において前記複数の吸気口のうち少なくとも一つが、配設された複数の前記壁掛取付装置間で互いに対向する位置関係となるように設けられる、
壁掛取付装置。
【請求項５】
請求項２ないし請求項４のうち、いずれか１項に記載の壁掛取付装置であって、
前記表示装置取付部は、
前記所定の表示装置を装着する装着部と、
前記装着部にて前記所定の表示装置を装着しつつ、前記装着部を前記枠体の設置面に対し垂直な第３の方向に移動させる可動部とを備える、
壁掛取付装置。
【請求項６】
請求項５記載の壁掛取付装置であって、
前記可動部は、前記装着部が前記枠体に近い収納状態で、前記可動部の前記第３の方向の動きをロックする第１のロック機構を含む、
壁掛取付装置。
【請求項７】
請求項５あるいは請求項６記載の壁掛取付装置であって、
前記可動部は、前記装着部が前記枠体から遠い解放状態で、前記可動部の前記第３の方向の動きをロックする第２のロック機構をさらに含む、
壁掛取付装置。
【請求項８】
請求項５ないし請求項７のうち、いずれか１項に記載の壁掛取付装置であって、
前記可動部は、
前記装着部を前記第３の方向に移動させる複数のパンタグラフ機構と、
前記複数のパンタグラフ機構間における前記第３の方向の動作が連動するように、前記複数のパンタグラフ機構間を連結するリンク機構とを含む、
壁掛取付装置。
【請求項９】
請求項８記載の壁掛取付装置であって、
前記可動部は、
前記複数のパンタグラフ機構のうち少なくとも一つに対し、前記第１あるいは第２の方向のズレを規制するガイド機構をさらに含む、
壁掛取付装置。
【請求項１０】
請求項５ないし請求項９のうち、いずれか１項に記載の壁掛取付装置であって、
前記装着部は、前記装着部内の所定位置に装着され、前記所定の表示装置の背面に設けられた所定の取付用部材が引っ掛けられる取付部材を有する、
壁掛取付装置。
【請求項１１】
請求項１０記載の壁掛取付装置であって、
前記取付部材は、前記所定位置を前記第１の方向に可変設定する第１の調節機構を含む、
壁掛取付装置。
【請求項１２】
請求項１０あるいは請求項１１に記載の壁掛取付装置であって、
前記取付部材は前記装着部に装着された前記所定の表示装置に対し、前記第２の方向に可変設定する第２の調整機構を含む、
壁掛取付装置。
【請求項１３】
請求項１０ないし請求項１２のうち、いずれか１項に記載の壁掛取付装置であって、
前記取付部材は前記装着部に装着された前記所定の表示装置に対し、前記第３の方向に可変設定する第３の調整機構を含む、
壁掛取付装置。
【発明の詳細な説明】
【技術分野】
【０００１】
この発明は、薄型ディスプレイ等の表示装置用の壁掛取付装置に関する。
【背景技術】
【０００２】
薄型ディスプレイ等の表示装置を壁面に設置する際、表示装置取付用の壁掛取付装置を壁面に予め固定した後、当該壁掛取付装置に表示装置を取り付ける構成が一般的であった。
【０００３】
このような壁掛取付装置として例えば特許文献１に開示された薄型ディスプレイ用壁掛け装置がある。
【０００４】
この壁掛け装置は、壁面に固定するベース盤と、薄型ディスプレイの背面に予め装着する装着枠体とを設け、上記ベース盤の前面に設けた支持杆に、上記装着枠体の後面上下に設けた係止ピンを着脱自在に連結し、上記支持杆の差込凹部に差し込んだ下部係止ピンを係止部が自動ロックすると共に、上記係止部を下方に引き下げる解除具にて上記係止部のロック状態を開放するように設けている。
【先行技術文献】
【特許文献】
【０００５】
【特許文献１】特開２００６−５３２１２号公報（図６）
【発明の概要】
【発明が解決しようとする課題】
【０００６】
従来の壁掛取付装置は以上のように構成されており、壁掛取付装置自体の壁面への固定作業に比較的手間を要し、壁掛取付装置自体を当初の設計通りに正確に壁面に固定することが困難であるとの問題点があった。
【０００７】
この発明は上記問題点を解決するためになされたもので、壁掛取付装置自体の壁面への固定作業を簡単にするとともに、壁掛取付装置自体を当初の設計通りに正確に壁面に固定することができる壁掛取付装置を得ることを目的とする。
【課題を解決するための手段】
【０００８】
この発明に係る壁掛取付装置は、所定の表示装置を壁面に取り付ける壁掛取付装置であって、固定対象となる壁面に対向して設置するための設置面を有し、少なくとも前記表示装置の後部を取り囲む枠体を備え、前記枠体の設置面は、壁面に設けられる所定の金具により掛止可能な掛止用開口部と、壁面に前記枠体をネジ止め固定するために前記掛止用開口部の上部及び下部に設けられ、所定のネジ止め位置自由度を有する複数の固定用ネジ穴と、前記掛止用開口部の上部に設けられた固定用穴に隣接して設けられた複数の位置決め用穴とを有し、前記複数の固定用ネジ穴それぞれは前記所定のネジ止め位置自由度を有するように、前記複数の位置決め用穴より開口領域が広く形成される。
【発明の効果】
【０００９】
この発明に係る壁掛取付装置は、所定の表示装置を壁面に取り付ける壁掛取付装置であって、固定対象となる壁面に対向して設置するための設置面を有し、少なくとも前記表示装置の後部を取り囲む枠体を備え、前記枠体の設置面は、壁面に設けられる所定の金具により掛止可能な掛止用開口部と、壁面に前記枠体をネジ止め固定するために前記掛止用開口部の上部及び下部に設けられ、所定のネジ止め位置自由度を有する複数の固定用ネジ穴と、前記掛止用開口部の上部に設けられた固定用穴に隣接して設けられた複数の位置決め用穴とを有し、前記複数の固定用ネジ穴それぞれは前記所定のネジ止め位置自由度を有するように、前記複数の位置決め用穴より開口領域が広く形成される。このため、所定の表示装置をマルチ配置するための複数の壁掛取付装置の取付を、簡単、かつ正確に行うことができる。
【図面の簡単な説明】
【００１０】
【図１】この発明の実施の形態である壁掛取付装置の構成を示す説明図である。
【図２】実施の形態の壁掛取付装置を取り付ける壁面を模式的に示す説明図である。
【図３】本実施の形態の壁掛取付装置の排気構造を示す斜視図である。
【図４】９台の薄型ディプレイ装置を３個３段のマルチ配置構成した状態を示す説明図である。
【図５】９台の薄型ディプレイ装置を３個３段のマルチ配置構成した状態を示す斜視図である。
【図６】実施の形態の壁掛取付装置におけるパンタグラフ構造の後退状態を示す斜視図である。
【図７】実施の形態の壁掛取付装置におけるパンタグラフ構造の前進状態を示す斜視図である。
【図８】パンタグラフ構造の断面構造を示す断面図である。
【図９】パンタグラフ構造の収納状態時におけるロック機構を示す斜視図である。
【図１０】図９で示したロック部材の詳細構造を示す説明図である。
【図１１】図９で示したロック解除用治具の詳細を示す説明図である。
【図１２】薄型ディプレイ装置の表面及び裏面構成を示した斜視図である。
【図１３】図１２で示したハンドルユニットの詳細を示す斜視図である。
【図１４】図１２で示したハンドルユニットの詳細を示す側面図である。
【図１５】薄型ディプレイ装置が収納状態で壁掛取付装置に取り付けられている状態のハンドルユニット及びロック解除用治具周辺の詳細を示す説明図である。
【図１６】パンタグラフ構造の解放状態時におけるロック機構を示す斜視図である。
【図１７】図１６で示したロック機構の詳細構造を示す説明図である。
【図１８】２つのパンタグラフ構造におけるリンク機構を示す斜視図である。
【図１９】薄型ディプレイ装置の壁掛取付装置への取り付け前の状況を模式的に示す説明図である。
【図２０】薄型ディプレイ装置の壁掛取付装置への取り付け前の状況を模式的に示す側面方向から視た説明図である。
【図２１】薄型ディプレイ装置の壁掛取付装置への取り付け後の状況を模式的に示す側面方向から視た説明図である。
【図２２】薄型ディプレイ装置及び壁掛取付装置それぞれの上部取付部材の詳細を示す説明図である。
【図２３】壁掛取付装置の上部取付部材の詳細を示す説明図である。
【図２４】薄型ディプレイ装置及び壁掛取付装置それぞれの下部配置部及び下部配置台の詳細を示す説明図である。
【図２５】薄型ディプレイ装置及び壁掛取付装置それぞれの上部取付部材間の取り付け状況を示す説明図である。
【図２６】薄型ディプレイ装置の下部取付部材が壁掛取付装置の下部配置台上に支持される状態等を示す説明図である。
【発明を実施するための形態】
【００１１】
＜壁面への設置＞
図１はこの発明の実施の形態である壁掛取付装置の構成を示す説明図である。同図の(a) は上面構成（薄型ディスプレイ設置側から視た構成）を示しており、同図(b) は同図(a) のＡ−Ａ断面を示している。
【００１２】
同図(a) に示すように、壁掛取付装置８は枠体であるマウント部１０内に水平フロントバー２１及び２２、垂直フロントバー２３ａ及び２３ｂ、シャフト４３、ノブ４４等を含む表示装置取付部と排気部（図１では図示せず）とから構成される。なお、表示装置取付部及び排気部の説明図について後に詳述する。
【００１３】
マウント部１０の外形は矩形状を呈し、設置面には上部にマウント固定用穴１１ａ及び１１ｂが設けられ、下部にマウント固定用穴１１ｃ及び１１ｄが設けられている。また、マウント固定用穴１１ａ及び１１ｂに隣接してデフォルト位置決め用穴１２ａ及び１２ｂが設けられる。
【００１４】
マウント固定用穴１１ａ〜１１ｄはそれぞれφ１５（直径１５ｍｍ）を有し、Ｍ６（径が６ｍｍ）程度のネジを用いてφ１５を超えるワッシャを介して、壁１の壁面１ｓ上にマウント部１０を固定するために設けられている。したがって、マウント固定用穴１１ａ〜１１ｄにはＭ６程度のネジを用いたネジ止めにおいて所定のネジ止め位置自由度を有している。
【００１５】
一方、デフォルト位置決め用穴１２ａ及び１２ｂはそれぞれφ６程度のサイズで設けられている。すなわち、デフォルト位置決め用穴１２ａ及び１２ｂそれぞれの領域はマウント固定用穴１１ａ〜１１ｄそれぞれの領域に比べ、開口面積が狭く設定されている。デフォルト位置決め用穴１２ａ及び１２ｂは、位置決めに必要な大きさであればよく、その開口面積をマウント固定用穴の開口面積と同じか大きくしてもよい。
【００１６】
図２は実施の形態の壁掛取付装置８を取り付ける壁面を模式的に示す説明図である。同図に示すように、壁面１ｓにはデフォルト位置決め用穴１２ａ及び１２ｂによる位置決め用の位置合わせ印７２ａ及び７２ｂが予め印される。また、図１の(b) 及び図２に示すように、位置合わせ印７２ａ及び７２ｂを基準とした所定位置に取付用金具２，２がそれぞれネジ３によって壁面１ｓにネジ止めされている。
【００１７】
一方、図２において破線で示すマウント部１０の設置面１０ｆは、前述したように、マウント固定用穴１１ａ〜１１ｄ及びデフォルト位置決め用穴１２ａ及び１２ｂが設けられるとともに、中央の比較的大きな領域として取付用金具２，２により掛止可能な開口部９（壁掛用開口部）を設けている。
【００１８】
このような構成の本実施の形態の壁掛取付装置８は以下のステップ(a) 〜(d) を実行して壁掛取付装置８を壁面１ｓ上に固定することができる。
【００１９】
(a) 壁面１ｓの所定位置に位置合わせ印７２ａ及び７２ｂを印すとともに、位置合わせ印７２ａ及び７２ｂを基準として取付用金具２，２を取り付ける。
【００２０】
(b) 取付用金具２，２にマウント部１０の開口部９の上端部分を掛止して、壁掛取付装置８を壁面１ｓ上に仮配置する。この仮配置状態では、デフォルト位置決め用穴１２ａ及び１２ｂは、位置合わせ印７２ａ及び７２ｂに対して低い位置となる。
【００２１】
(c) マウント部１０を少し持ち上げて、壁面１ｓに印した位置合わせ印７２ａ及び７２ｂに、デフォルト位置決め用穴１２ａ及び１２ｂを一致させて位置合わせする。
【００２２】
(d) 上記ステップ(c) で位置合わせした状態で、マウント固定用穴１１ａ〜１１ｄそれぞれを介してネジ止めすることにより、マウント部１０の設置面を壁面１ｓに固定する。
【００２３】
上記ステップ(a)，(b) の実行により、壁掛取付装置８を壁面１ｓに比較的簡単に仮配置することができ、ステップ(b) で仮配置されているため、上記ステップ(d) が完了するまでの間、壁掛取付装置８の落下防止を確実に図りながら、ステップ(c) 以降の取付処理が可能となる。
【００２４】
加えて、ステップ(d) の際、マウント固定用穴１１ａ〜１１ｄは所定のネジ止め位置自由度を有するため、マウント部１０の設置面１０ｆに多少の寸法誤差があっても、位置合わせ印７２ａ及び７２ｂにデフォルト位置決め用穴１２ａ及び１２ｂが一致するように、設置面１０ｆを簡単、かつ正確に取り付けることができる効果を奏する。
【００２５】
以上、上記ステップ(a) 〜(d) を他の壁掛取付装置８の取付に順次適用することにより、薄型ディスプレイをマルチ配置すべく、複数の壁掛取付装置８の壁面１ｓ上への配置を、簡単、かつ当初の設計通りに正確に行うことができる。さらに、最下段から最上段にかけて複数の壁掛取付装置８を順次配置する場合、最下段以外の取付け時にはステップ(c) を省略することができる。その結果、壁掛取付装置８の取付作業に要する時間短縮を図ることができる。
【００２６】
＜排気構造＞
図３は本実施の形態の壁掛取付装置８の排気構造を示す斜視図である。図４は９台の壁掛取付装置８ａ〜８ｉを用いて９台の薄型ディプレイ装置４０ａ〜４０ｉを３個３段のマルチ配置構成した状態を示す説明図である。図４(a) が正面から視た図を示しており、図４の(b) が図４(a) のＢ−Ｂ断面を示している。
【００２７】
これらの図に示すように、表示装置取付部５に取り付けられた薄型ディプレイ装置４０を冷却した空気を排気する排気部６はマウント部１０の設置面１０ｆ側に設けられており、中央領域に上下縦断して設けられた煙突２０が設けられている。この煙突２０の上部においてマウント部１０の設置面１０ｆから遠ざかる方向に傾斜してディプレイ近接排気口１５が設けられる。このディプレイ近接排気口１５が表示装置取付部５に薄型ディプレイ装置４０（図４の(b) 薄型ディプレイ装置４０ｄ，４０ｅ，４０ｆ）を取り付けた際、その排気口７５の近傍に位置する。また、ディプレイ近接排気口１５の外周部に緩衝材を用いて形成された排気口枠体１６が設けられているため、壁掛取付装置８の表示装置取付部５への薄型ディプレイ装置４０の収納状態で薄型ディプレイ装置４０の排気口７５と排気口枠体１６との密着性を高めることができる。なお、表示装置取付部５は、後に詳述するパンタグラフ構造２６、水平フロントバー２１，２２、上部取付部材４５，５５、下部配置部４６及び下部配置台５６等を含み、薄型ディプレイ装置４０の取り付けに寄与している部分の総称を意味する。
【００２８】
また、マウント部１０の上面及び下面において煙突２０の外部排気口１７が設けられ、マウント部１０の上面及び下面において外部排気口１７の一方側（図３では左側）に左部吸気口１４ａ及び１４ｂが設けられ、マウント部１０の上面及び下面において外部排気口１７の他方側（図３では右側）に右部吸気口１４ｃ及び１４ｄが設けられる。さらに、マウント部１０の両側面の下方部に側面吸気口１４ｅ及び１４ｆが設けられる。
【００２９】
このように、壁掛取付装置８の排気部６は、煙突２０、ディプレイ近接排気口１５、排気口枠体１６、外部排気口１７、及び吸気口１４ａ〜１４ｆ等から構成され、表示装置取付部５に設置した薄型ディプレイ装置４０より生じる熱が排気口７５から煙突２０を介して上面の外部排気口１７から排気される。この排気動作に伴い、吸気口１４ａ〜１４ｆからの吸気動作が行われる。
【００３０】
このように、本実施の形態の壁掛取付装置８は、マウント部１０内に取付時の薄型ディスプレイを冷却した空気を排気する熱排気用の排気部６を設けることにより、薄型ディスプレイ側に特に熱排気用の排気部を設けていない場合においても、壁掛取付装置８の排気部６を介した排気処理を確実に行うことができ、薄型ディスプレイ内部の温度上昇を効果的に抑制することができる効果を奏する。
【００３１】
次に、図４に示すように、壁掛取付装置８ａ〜８ｉに薄型ディプレイ装置４０ａ〜４０ｉを取り付けて、薄型ディプレイ装置４０ａ〜４０ｉを３個３段のマルチ配置構成した場合における排気動作について説明する。以降、図４における水平方向をＸ方向、垂直方向をＹ方向として説明する。すなわち、マウント部１０の上面及び下面の形成方向がＸ方向、両側面の形成方向をＹ方向として規定される。
【００３２】
上面及び下面にそれぞれ設けられる外部排気口１７は、壁掛取付装置８をＹ方向に沿って複数台配設した際、上下配置される壁掛取付装置８間における下面及び上面の外部排気口１７が互いに合致して、上記配設された複数の壁掛取付装置８間で煙突２０が連結されるように構成される。
【００３３】
同様に、上面及び下面にそれぞれ設けられる左上部吸気口１４ａ，１４ｃ及び１４ｂ，１４ｄは、壁掛取付装置８をＹ方向に沿って複数台配設した際、Ｙ方向に配設された複数の壁掛取付装置８間で左部吸気口１４ａ及び１４ｂ間並びに右部吸気口１４ｃ及び１４ｄ間が合致するように構成される。
【００３４】
加えて、両側面に設けられる側面吸気口１４ｅ及び１４ｆは、壁掛取付装置８をＸ方向に沿って複数台配設した際、Ｘ方向に配設された複数の壁掛取付装置８間で側面吸気口１４ｅ及び１４ｆ間が合致するように構成される。
【００３５】
したがって、図４(b) に示すように、例えば、壁掛取付装置８ｄと壁掛取付装置８ｅとの関係において、下方の壁掛取付装置８ｅの上面の外部排気口１７と上方の壁掛取付装置８ｄの下面の外部排気口１７とが互いに合致する。その結果、Ｙ方向においてマルチ配置される複数の壁掛取付装置８間において煙突２０が連結して、３台の壁掛取付装置８分の排気通路２９が形成される。
【００３６】
排気通路２９にディスプレイ近接排気口１５からの空気が流れこみやすくするために、図４に示すように、最下段の壁掛取付装置８（壁掛取付装置８ｃ，８ｆ，８ｉ）の下面の外部排気口１７に蓋部１８を設け、最上段の壁掛取付装置８（壁掛取付装置８ａ，８ｄ，８ｇ）の上面の外部排気口１７からＹ方向にマルチ配置された３台の薄型ディプレイ装置４０から生じる熱を排気することができる。
【００３７】
同様にして、例えば、壁掛取付装置８ｄと壁掛取付装置８ｅとの関係において、下方の壁掛取付装置８ｅの上面の吸気口１４ａ及び１４ｃと上方の壁掛取付装置８ｄの下面の吸気口１４ｂ及び１４ｄとが互いに合致する。その結果、Ｙ方向においてマルチ配置される複数の壁掛取付装置８間において吸気口１４ａ〜１４ｄが連結して、３台の壁掛取付装置８分の吸気通路が形成される。
【００３８】
壁掛取付装置８の内部に比較的冷たい外気が入りやすくするために、図４に示すように最上段の壁掛取付装置８（壁掛取付装置８ａ，８ｄ，８ｇ）の上面の吸気口１４ａ及び吸気口１４ｃに蓋部１９を設け、最下段の壁掛取付装置８（壁掛取付装置８ｃ，８ｆ，８ｉ）の下面の吸気口１４ｂ及び１４ｄから比較的冷たい外気を吸気することにより、Ｙ方向にマルチ配置された３台の薄型ディプレイ装置４０から排気処理による冷却効果を向上させることができる。
【００３９】
また、例えば、壁掛取付装置８ｄと壁掛取付装置８ｇとの関係において、左側の壁掛取付装置８ｄの右側面の右側面吸気口１４ｆと右側の壁掛取付装置８ｇの左側面の左側面吸気口１４ｅとが互いに合致する。その結果、Ｘ方向においてマルチ配置される複数の壁掛取付装置８間において側面吸気口１４ｅ及び１４ｆが連結して、３台の壁掛取付装置８分の吸気通路が形成され、上記排気処理による冷却効果を向上させることができる。
【００４０】
このように、各壁掛取付装置８の排気用通路となる煙突２０及び外部排気口１７は、壁掛取付装置８をＹ方向に沿って複数個配設した際、Ｙ方向に配設された複数の壁掛取付装置８間で連続的に繋がり排気通路２９を形成するように設けられるため、Ｙ方向に薄型ディスプレイをマルチ設置する場合においても、効果的な排気処理が行え、マルチ設置された薄型ディスプレイ内部の温度上昇を効果的に抑制することができる効果を奏する。
【００４１】
加えて、マウント部１０に設けられる複数の吸気口１４ａ〜１４ｆは、壁掛取付装置８をＸ方向及びＹ方向に沿って複数個配設した際、上記Ｘ方向及びＹ方向において左部吸気口１４ａ及び１４ｂの組合せ、右部吸気口１４ｃ及び１４ｄの組合せ、側面吸気口１４ｅ及び１４ｆの組合せが、互いに合致する位置関係となるように設けられるため、上記排気処理に伴う吸気処理が支障なく行われる。
【００４２】
加えて、Ｘ方向及びＹ方向に所定の表示装置をマルチ設置する場合において、マルチ設置された薄型ディスプレイ間の配線を、上記複数の吸気口１４ａ〜１４ｆを介して比較的簡単に行うことができる。
【００４３】
＜表示装置取付部における可動部の動作＞
図５は９台の薄型ディプレイ装置４０ａ〜４０ｉを３個３段のマルチ配置構成した状態を示す斜視図である。壁掛取付装置８は後に詳述する可動部である２つのパンタグラフ構造２６ａ及び２６ｂによる前進，後退動作により、３個３段のマルチ配置構成の真ん中の薄型ディプレイ装置４０ｅ単独の取り付け、取り外しを比較的簡単に行うことができる。
【００４４】
図６はパンタグラフ構造２６ａ及び２６ｂの後退状態を示す斜視図である。図７はパンタグラフ構造２６ａ及び２６ｂの前進状態を示す斜視図である。図８は壁掛取付装置８におけるパンタグラフ構造２６の断面構造を示す断面図である。同図(a) は前進状態を示し、同図(b) は後退状態を示している。
【００４５】
これらの図に示すように、パンタグラフ構造２６（２６ａ，２６ｂ）は、マウント部１０の設置面１０ｆに沿って設けられた支持部材２８と、支持部材２８に互いに一方端が連結され、互いの中心部が回転自在のピン６０により連結されたクロスバー２４（２４ａ，２４ｂ），２５（２５ａ，２５ｂ）により構成される。クロスバー２４は、支持部材２８の下方にＹ方向に設けられた長穴に移動可能に連結される。クロスバー２５は、支持部材２８の上方に設けられた穴に回転可能に連結される。
【００４６】
そして、クロスバー２４，２５の他方端間に垂直フロントバー２３（２３ａ，２３ｂ）が設けられ、垂直フロントバー２３ａ及び２３ｂ間の上部及び下部を横断して水平フロントバー２１及び２２が設けられる。クロスバー２４は、垂直フロントバー２３の上方に設けられた穴に回転可能に連結される。クロスバー２５は、垂直フロントバー２３の下方にＹ方向に設けられた長穴に移動可能に連結される。
【００４７】
これら垂直フロントバー２３及びクロスバー２４が薄型ディプレイ装置４０を実際に装着する装着部として機能する。そして、上述したパンタグラフ構造２６はピン６０を中心としてクロスバー２４，２５が伸長・収縮することにより、上記装着部をパンタグラフ移動方向Ｄ２６間で移動させることが可能な可動部として機能する。そして、上記装着部と上記可動部とを併せた構成が表示装置取付部５となる。
【００４８】
パンタグラフ移動方向Ｄ２６で上記装着部を移動させる場合、薄型ディプレイ装置４０の装着後は、取り付けた薄型ディプレイ装置４０自体を前進後退させることにより行うことができ、薄型ディプレイ装置４０の取り付け前は水平フロントバー２１，２２等を前進後退させることにより行うことができる。
【００４９】
パンタグラフ移動方向Ｄ２６はマウント部１０の設置面１０ｆに対し垂直な方向であり、以降、このパンタグラフ移動方向Ｄ２６をＺ方向と称する場合がある。
【００５０】
図８(a) に示すように、パンタグラフ構造２６はパンタグラフ前進方向Ｄ２６Ｆに最大限移動すると、垂直フロントバー２３がマウント部１０の設置面１０ｆから最も遠ざかる解放状態となる。この解放状態で薄型ディプレイ装置４０が取り付けると図５の薄型ディプレイ装置４０ｅのようになる。
【００５１】
一方、図８(b) に示すように、パンタグラフ構造２６はパンタグラフ後退方向Ｄ２６Ｒに最大限移動すると、垂直フロントバー２３がマウント部１０の設置面１０ｆから最も近づく収納状態となる。薄型ディプレイ装置４０が取り付けた状態で収納状態になると、図５の薄型ディプレイ装置薄型ディプレイ装置４０ａ〜４０ｄ、４０ｆ〜４０ｉのようになる。
【００５２】
このように、本実施の形態の壁掛取付装置８の上記装着部に薄型ディプレイ装置４０を装着した場合、可動部となるパンタグラフ構造２６はパンタグラフ移動方向Ｄ２６に沿って上記装着部を移動させることにより、薄型ディプレイ装置４０の壁掛取付装置８への取り付け、取り外しを比較的簡単に行うことができる。
【００５３】
さらに、本実施の形態のパンタグラフ構造２６は、収納状態時に薄型ディプレイ装置４０の画面部分以外の大半をマウント部１０内部に配置し、解放状態時に薄型ディプレイ装置４０の全てがマウント部１０の外部に突出するように配置している。
【００５４】
このため、Ｘ方向及びＹ方向に薄型ディスプレイをマルチ設置する場合において、いずれの位置にある壁掛取付装置８における薄型ディプレイ装置４０に対しても、その取付け及び取り外しを他の壁掛取付装置８における薄型ディプレイ装置４０の設置状況に関係なく、単独で行うことができる効果を奏する。その結果、マルチ配置された複数の薄型ディプレイ装置のうち、任意の薄型ディプレイ装置に対する取り付け、取り外しを支障なく行うことができる効果を奏する。
【００５５】
例えば、図５に示すように、３個３段のマルチディプレイ配置構成において、薄型ディプレイ装置４０ａ〜４０ｉ全てが設置済みであっても、真ん中の薄型ディプレイ装置４０ｅを取り付けた壁掛取付装置８ｅのパンタグラフ構造２６を解放状態にすることにより、薄型ディプレイ装置４０ｅ単独の取り外し、その後の取り付けを比較的簡単に行うことができる。
【００５６】
＜ロック機構（その１）＞
図９はパンタグラフ構造２６の収納状態時におけるロック機構を示す斜視図である。同図に示すように、主としてロック部材３１、シャフト３２及びロック解除用治具３３により、パンタグラフ構造２６の収納状態時においてパンタグラフ前進方向Ｄ２６Ｆへの移動をロックするロック機構（第１のロック機構）を構成する。ロック部材３１は、垂直フロントバー２３にＸ方向に設けられた突起部３６（図１０に図示）と係合する。シャフト３２は、マウント部１０のＸ方向の端部付近に設けられたロック解除用治具３３とロック部材３１をつなぐものである。ロック解除用治具３３がＺ方向に移動すると、シャフト３２が回転し、ロック部材３１が下に移動して突起部３６との係合が解除される。なお、図９では一方のパンタグラフ構造２６ｂについてのロック機構のみ示しているが、同様なロック機構が他方のパンタグラフ構造２６ａに対しても設けられている。ただし、パンタグラフ構造２６ａ，２６ｂ間でロック機構を設けるＹ方向の位置を変えている。第１のロック機構を設けることによるＸ方向の拡がりを最小現に抑えるためである。以降、パンタグラフ構造２６ａ及び２６ｂを総称であるパンタグラフ構造２６として説明する。
【００５７】
図１０はロック部材３１の詳細構造を示す説明図である。同図(a) がパンタグラフ構造２６の解放状態、同図(b) がパンタグラフ構造２６の収納状態の場合を示している。
【００５８】
同図(a) に示すように、垂直フロントバー２３にはＸ方向に突起した突起部３６が設けられ、この突起部３６はＹ方向の位置がストッパＳＷ３５の傾斜面３５ｄのＹ方向の位置と一致するように設けられている。
【００５９】
ストッパＳＷ３５はシャフト３２を中心として回転自在にシャフト３２に設けられるとともに、スプリング部３４の弾性力によりシャフト３２を中心に時計回りに回動しようとする力が加えられることにより、同図(a) で示す形態で安定している。
【００６０】
同図(a) で示す解放状態からパンタグラフ構造２６をパンタグラフ後退方向Ｄ２６Ｒに動作させると、垂直フロントバー２３の突起部３６が点線矢印方向に移動する。突起部３６はＹ方向の位置がストッパＳＷ３５の傾斜面３５ｄのＹ方向の位置に設けられているため、傾斜面３５ｄを当接し、ストッパＳＷ３５をシャフト３２を中心として反時計方向に押し下げながら進み、収納状態時には、同図(b) に示すように、ストッパＳＷ３５の凹部３５ｃ内に収まる。
【００６１】
一旦、突起部３６がストッパＳＷ３５の凹部３５ｃ内に収まると、仮に垂直フロントバー２３をパンタグラフ前進方向Ｄ２６Ｆに動かそうとしても、ストッパＳＷ３５の凹部３５ｃ（垂直部３５ｖ）が突起部３６に対するストッパとして機能し、垂直フロントバー２３のパンタグラフ前進方向Ｄ２６Ｆの動きを確実にロックすることができる。
【００６２】
図１１はロック解除用治具３３の詳細を示す説明図である。同図に示すように、ロック解除用治具３３はプッシュプレート３３ａ及びストッパプレート３３ｂより構成される。ストッパプレート３３ｂはシャフト３２と連動して設けられており、ストッパプレート３３ｂが反時計回りに回転すると、シャフト３２も反時計回りに回転する。
【００６３】
一方、プッシュプレート３３ａは薄型ディプレイ装置４０側に設けられたプレート４１ｃより押圧されると、これに連動してストッパプレート３３ｂを反時計回りに回転させることができる。
【００６４】
図１２は薄型ディプレイ装置４０の表面及び裏面構成を示した斜視図である。同図(a) が表面構成、同図(b) が裏面構成を示している。同図に示すように、表面視右側（裏面視左側）の側面にハンドルユニット４１が設けられる。ハンドルユニット４１は、収納状態で第１のロック機構を解除するために、ロック解除用治具３３をＺ方向に移動させるためのものである。なお、ディスプレイ裏面部４０Ｒの裏面突出部４０Ｔ上に設けられるホルダーユニット４２については後に詳述する。ホルダーユニット４２は、薄型ディプレイ装置４０をクロスバー２４に取り付けるためのものである。
【００６５】
図１３及び図１４はハンドルユニット４１の詳細を示す説明図である。図１３は、ディスプレイ裏面部４０Ｒ側から視た構造を示している斜視図であり、図１４は薄型ディプレイ装置４０のディスプレイ表面部４０Ｓに対し右側面から視た構造を示している側面図である。
【００６６】
これらの図に示すように、ハンドル４１ａのハンドル回転軸４１ｘがピン４１ｂを中心として回転自在にピン４１ｂに連結される。同様に、プレート４１ｃがピン４１ｂに回転自在に連結される。なお、ハンドル４１ａとプレート４１ｃとはピン４１ｂを中心に互いに先端部の位置関係が反対方向になるように設けられる。
【００６７】
したがって、図１３(a)及び図１４(a) で示す状態で、ハンドル４１ａを時計方向に回転させると、プレート４１ｃも時計方向に回転し、図１３(b)及び図１４(b) に示すように、プレート４１ｃはパンタグラフ後退方向Ｄ２６Ｒに突出した状態となる。
【００６８】
図１５は薄型ディプレイ装置４０が収納状態で壁掛取付装置８に取り付けられている状態のハンドルユニット４１及びロック解除用治具３３周辺を詳細に示す説明図である。同図は、薄型ディプレイ装置４０のディスプレイ表面部４０Ｓに対し右側面から視た構造を示している。
【００６９】
同図に示すように、ハンドル４１ａを時計方向に回転させて、プレート４１ｃをパンタグラフ後退方向Ｄ２６Ｒに突出させると、プレート４１ｃがプッシュプレート３３ａをパンタグラフ後退方向Ｄ２６Ｒに押圧し、ストッパプレート３３ｂを反時計回りに回転させる。
【００７０】
すると、ストッパプレート３３ｂの回転に連動してシャフト３２が反時計回りに回転するため、シャフト３２の回転に連動してストッパＳＷ３５が反時計回りに回転し、垂直部３５ｖが下降する。その結果、ストッパＳＷ３５の凹部３５ｃ内に突起部３６が収まることによるストッパＳＷ３５のロック機能が解除されるため、パンタグラフ構造２６をパンタグラフ前進方向Ｄ２６Ｆに動かすことが可能となる。
【００７１】
このように、本実施の形態の壁掛取付装置８は、パンタグラフ構造２６の収納状態で、パンタグラフ構造２６のＺ方向（パンタグラフ前進方向Ｄ２６Ｆ）の動きをロックする第１のロック機構（ロック部材３１、シャフト３２、ロック解除用治具３３等）を有するため、パンタグラフ構造２６の収納状態時に安定性良く薄型ディプレイ装置４０を設置することができる。
【００７２】
＜ロック機構（その２）＞
図１６はパンタグラフ構造２６の解放状態時におけるロック機構を示す斜視図である。同図に示すように、主としてシャフト４３、ノブ４４、スプリング部４９及びロックプレート５０により、パンタグラフ構造２６の解放状態時においてパンタグラフ後退方向Ｄ２６Ｒへの移動をロックするロック機構（第２のロック機構）を構成する。なお、図１６では一方のパンタグラフ構造２６ｂ（垂直フロントバー２３ｂ）についてのみ示しているが、同様なロック機構がパンタグラフ構造２６ａに対しても設けられている。ただし、シャフト４３及びノブ４４はパンタグラフ構造２６ａ，２６ｂ間で共有する。
【００７３】
図１７は上記第２のロック機構の詳細構造を示す説明図である。同図(a) がパンタグラフ構造２６ｂ収納状態、同図(b)，同図(c)がそれぞれパンタグラフ構造２６ｂの解放状態の場合を示している。
【００７４】
同図(b) に示すように、クロスバー２５ｂの先端部に設けられた昇降ピン２５ｐは垂直フロントバー２３ｂの昇降領域２３ｒ内においてＹ方向に移動自在に、垂直フロントバー２３ｂに連結されている。
【００７５】
また、ロックプレート５０はスプリング部４９の弾性力により常に反時計方向へ回転しようとする力が加えられており、通常は図１７の(a) で示す状態で安定している。
【００７６】
同図(a) に示すように、収納状態ではクロスバー２５ｂはＹ方向に平行な状態となるため、昇降ピン２５ｐは昇降領域２３ｒ内の最下段に位置することになる。
【００７７】
この収納状態からパンタグラフ構造２６ｂをパンタグラフ前進方向Ｄ２６Ｆに動作させると、昇降領域２３ｒ内において昇降ピン２５ｐは上昇し、ロックプレート５０の傾斜面５０ｄに当接し、ロックプレート５０を時計回りに回転させ退けながら、昇降領域２３ｒ内を上昇する。その後、解放状態時には、同図(b) に示すように、昇降領域２３ｒの最上部に位置することになる。それに前後して、ロックプレート５０がスプリング部４９の弾性力により同図(b) で示す状態に戻り安定するため、ロックプレート５０の凹部５０ｃ内に昇降ピン２５ｐが収まる。
【００７８】
一旦、昇降ピン２５ｐがロックプレート５０の凹部５０ｃ内に収まると、仮に垂直フロントバー２３ｂをパンタグラフ後退方向Ｄ２６Ｒに動かそうとしても、ロックプレート５０の凹部５０ｃが昇降ピン２５ｐに対するストッパとして機能し、垂直フロントバー２３ｂのパンタグラフ後退方向Ｄ２６Ｒの動きを確実にロックすることができる。
【００７９】
このように、スプリング部４９の弾性力によりロックプレート５０の位置は同図(b) で示す状態で安定するため、昇降ピン２５ｐの昇降領域２３ｒの下降、すなわち、パンタグラフ構造２６ｂのパンタグラフ後退方向Ｄ２６Ｒへの移動をロックすることができる。
【００８０】
一方、パンタグラフ構造２６ａ（図示せず）はパンタグラフ構造２６ｂと同様に移動するため、パンタグラフ構造２６ｂと同様にパンタグラフ構造２６ａもパンタグラフ後退方向Ｄ２６Ｒへの移動がロックされる。
【００８１】
同図(b) で示す解放状態時かつロック状態時において、同図(c) に示すように、ノブ４４を時計回りに回転させると、シャフト４３も時計回りに回転する。すると、シャフト４３に連動して回転するロックプレート５０も時計回りに回転する。その結果、ロックプレート５０の凹部５０ｃ内に昇降ピン２５ｐが収まることによるスプリング部４９及びロックプレート５０のロック機能が解除されるため、パンタグラフ構造２６ｂをパンタグラフ後退方向Ｄ２６Ｒに動かすことが可能となる。この際、シャフト４３及びノブ４４はパンタグラフ構造２６ａにおいても用いられているため、パンタグラフ構造２６ｂと同時にパンタグラフ構造２６ａのロック機能も解除される。
【００８２】
このように、本実施の形態の壁掛取付装置８は、パンタグラフ構造２６の解放状態で、パンタグラフ構造２６のＺ方向（パンタグラフ後退方向Ｄ２６Ｒ）の動きをロックする第２のロック機構を有するため、解放態時に薄型ディプレイ装置４０の装着部（水平フロントバー２２，垂直フロントバー２３）への取付け、取り外しを精度良く行うことができる。
【００８３】
＜リンク及びガイド機構＞
（リンク機構）
図１８はパンタグラフ構造２６ａ及び２６ｂにおけるリンク機構を示す斜視図である。同図に示すように、支持部材２８ａ及び２８ｂ間の上部において回転自在なリンクシャフト３８が設けられている。このリンクシャフト３８がパンタグラフ構造２６ａのクロスバー２５ａ及びパンタグラフ構造２６ｂのクロスバー２５ｂそれぞれの一端の共通の自在止め具として機能している。リンクシャフト３８は、その両端がそれぞれクロスバー２５ａ、２５ｂに固定されており、パンタグラフ構造２６ａ及び２６ｂを連結する。
【００８４】
したがって、パンタグラフ構造２６ａとパンタグラフ構造２６ｂとはリンクシャフト３８を介して正確に連動しながらスムーズにパンタグラフ移動方向Ｄ２６間における移動動作を行うことができる。
【００８５】
このように、本実施の形態の壁掛取付装置８は、パンタグラフ構造２６ａ及びパンタグラフ構造２６ｂ間におけるパンタグラフ移動方向Ｄ２６の動作が連動するように、パンタグラフ構造２６ａ及び２６ｂ間を連結するリンクシャフト３８を有するため、パンタグラフ構造２６ａ及び２６ｂによるパンタグラフ移動方向Ｄ２６の動作がスムーズかつ正確に行える効果を奏する。
【００８６】
（ガイド機構）
さらに、図１８に示すように、支持部材２８ｂの最上部にパンタグラフ後退方向Ｄ２６Ｒに延びて、ガイド通路３９ｒのＸ方向位置が垂直フロントバー２３ｂに対向するように、ガイド部３９が設けられる。
【００８７】
このガイド部３９は、垂直フロントバー２３ｂが解放状態から収納状態にパンタグラフ後退方向Ｄ２６Ｒに移動する際、垂直フロントバー２３ｂの最上部がガイド通路３９ｒ内を通過するように設けられる。
【００８８】
このように、本実施の形態の壁掛取付装置８は、ガイド部３９の存在により、パンタグラフ構造２６ｂのＸ方向のズレが規制されるため、パンタグラフ構造２６ａ及び２６ｂ全体におけるＸ方向のズレを確実に抑制することができる。
【００８９】
＜装着部における取付部材＞
（取り付け内容）
図１９は薄型ディプレイ装置４０の壁掛取付装置８への取り付け前の状況を模式的に示す説明図である。図２０は薄型ディプレイ装置の壁掛取付装置８への取り付け前の状況を模式的に示す側面方向から視た説明図である。これらの図に示すように、ディスプレイ裏面部４０Ｒの裏面突出部４０Ｔの両側にホルダーユニット４２が設けられる。ホルダーユニット４２は上部取付部材４５と下部配置部４６（下部取付部材）とから構成される。
【００９０】
一方、垂直フロントバー２３ｂ上及びその近傍に上部取付部材５５及び下部配置台５６（下部取付部材）が設けられる。上部取付部材４５と上部取付部材５５、下部配置部４６と下部配置台５６とがそれぞれ所定の結合状態を呈することにより、薄型ディプレイ装置４０を壁掛取付装置８に取り付けることができる。
【００９１】
以降、説明の都合上、パンタグラフ構造２６（水平フロントバー２２、垂直フロントバー２３、クロスバー２４，２５）、ホルダーユニット４２等を総称して説明する。実際には、壁掛取付装置８側のパンタグラフ構造２６ａ及び２６ｂこれに対応するホルダーユニット４２及び４２との間でそれぞれ同様な取り付け（上部取付部材４５，上部取付部材５５間及び下部配置部４６，下部配置台５６間の取り付け）が行われる。
【００９２】
図２１は薄型ディプレイ装置４０の壁掛取付装置８への取り付け後の状況を示す側面方向から視た説明図である。
【００９３】
同図に示すように、上部取付部材４５を上部取付部材５５の上部から被せるようにし、上部取付部材４５の左側面を上部取付部材５５の右側面に引っ掛けるようにして、上部取付部材４５を上部取付部材５５に取り付けて第１結合状態Ｊ１を実現している。この際、上部取付部材４５の左側面は弾力性を有するスプリングプレート４５ｓで構成されているため、比較的スムーズに上部取付部材４５の左側面を上部取付部材５５の右側面に引っ掛けることができる。
【００９４】
一方、下部配置台５６上に下部配置部４６のＹ方向調整用ネジ４６ｔの先端を当接させことにより、下部配置台５６上に下部配置部４６を取り付けて第２結合状態Ｊ２を実現している。このように、上部取付部材４５，上部取付部材５５間の取り付け及び下部配置部４６呼び下部配置台５６間の取り付けにより、薄型ディプレイ装置４０の壁掛取付装置８の表示装置取付部５への取り付けが行える。
【００９５】
上述したように、壁掛取付装置８の表示装置取付部５は上部取付部材５５を有している。したがって、薄型ディプレイ装置４０の裏面突出部４０Ｔに設けられたホルダーユニット４２の上部取付部材４５を上部取付部材５５に引っ掛けて取り付けることが主要な取り付け作業となるため、比較的簡単に薄型ディプレイ装置４０の表示装置取付部５への取付を行うことができる効果を奏する。
【００９６】
（Ｘ方向調整）
図２２は上部取付部材４５及び上部取付部材５５の詳細を示す説明図である。同図(a) は上部取付部材４５の詳細を示しており、同図(b) は上部取付部材５５の詳細を示している。
【００９７】
同図(a) に示すように、上部取付部材４５は上部表面に上部開口領域４７を有している。一方、同図(b) に示すように、上部取付部材５５は垂直フロントバー２３あるいは水平フロントバー２２（図示せず）に固定される固定部５８とＸ方向に移動可能なＸ方向可動部５７とから構成される。
【００９８】
Ｘ方向可動部５７はＹ方向に突出した突出部５７ｔを有しており、上部開口領域４７内から突出部５７ｔを突出させながら、上部取付部材５５に上部取付部材４５を引っ掛けることにより上部取付部材４５，上部取付部材５５間の取り付けが行える。すなわち、突出部５７ｔの位置が上部取付部材５５の装着位置（所定位置）となる。
【００９９】
したがって、上部取付部材５５の突出部５７ｔをＸ方向に移動させることにより、上部取付部材４５の取り付け位置をＸ方向に変化させることができる。
【０１００】
図２３は上部取付部材５５の詳細を示す説明図である。同図(a)が垂直フロントバー２３の側面方向から視た説明図であり、同図(b) がそのＣ−Ｃ断面を示す断面図である。
【０１０１】
同図に示すように、固定部５８は垂直フロントバー２３によりネジ止めされることにより固定されている。一方、Ｘ方向可動部５７は、固定部５８に設けられたＸ方向調整用ネジ５９のＸ方向の動きに連動してＸ方向に移動可能である。すなわち、Ｘ方向可動部５７は、２箇所の移動領域５７ｒ内をＸ方向に移動可能にネジ止めされ、かつＸ方向調整用ネジ５９の締め具合に応じてＸ方向の位置調整が可能である。
【０１０２】
このように、本実施の形態の上部取付部材５５は、Ｘ方向調整用ネジ５９及びＸ方向可動部５７等よりなり、上部取付部材４５の取り付け位置を規定する突出部５７ｔの位置をＸ方向に可変設定するＸ方向調節機構を含むため、壁掛取付装置８に対する薄型ディプレイ装置４０のＸ方向の位置決めを精度良く行うことができる。
【０１０３】
なお、Ｘ方向可動部５７、Ｘ方向調整用ネジ５９等によるＸ方向調整機構は、パンタグラフ構造２６ａ及び２６ｂにそれぞれ設けられる２つの上部取付部材５５に関し１箇所設ければ十分である。１箇所でＸ方向の位置調整が可能であるからである。
【０１０４】
（Ｙ方向調整）
図２４は下部配置部４６及び下部配置台５６の詳細を示す説明図である。同図(a) は下部配置部４６の詳細を示しており、同図(b) は下部配置台５６の詳細を示している。
【０１０５】
同図(a) に示すように、下部配置部４６は可動部４６ａ、固定部４６ｂ及びＹ方向調整用ネジ４６ｔを有している。
【０１０６】
可動部４６ａはＹ方向調整用ネジ４６ｔのＹ方向の動きに連動してＹ方向に移動可能である。すなわち、可動部４６ａは、２箇所の移動領域４６ｒ内をＹ方向に移動可能にネジ止めされ、かつＹ方向調整用ネジ４６ｔの固定部４６ｂへの締め具合に応じてＹ方向の位置調整が可能である。
【０１０７】
一方、同図(b) に示すように、下部配置台５６は上部に平坦面５６ｆを有しており、この平坦面５６ｆ上にＹ方向調整用ネジ４６ｔの先端が配置されることにより、下部配置部４６，下部配置台５６間の取り付けが行われる。
【０１０８】
したがって、Ｙ方向調整用ネジ４６ｔのＹ方向の位置調整により、壁掛取付装置８に対する薄型ディプレイ装置４０のＹ方向の位置調整が可能となる。なお、Ｙ方向調整用ネジ４６ｔの先端はボールペンの先端同様の丸め構造にすることにより、平坦面５６ｆに加わる摩擦力の軽減を図ることができる。
【０１０９】
上記Ｙ方向の位置決めはパンタグラフ構造２６ａ及び２６ｂに対応して設けられる２組の下部配置部４６及び下部配置台５６に対して共通に行う。
【０１１０】
このように、本実施の形態の壁掛取付装置８は、Ｙ方向調整用ネジ４６ｔ及び可動部４６ａ等よりなり、上記装着部に装着された薄型ディプレイ装置４０に対しＹ方向に可変設定するＹ方向調節機構を含む下部配置部４６及び当該下部配置部４６を配置可能な下部配置台５６を設けることにより、壁掛取付装置８に対する薄型ディプレイ装置４０のＹ方向の位置決めを精度良く行うことができる。
【０１１１】
なお、Ｙ方向の調整は２箇所の下部配置台５６において２点で行うことにより、薄型ディプレイ装置４０に対する精度の良いＹ方向の位置調整が可能である。加えて、２点をそれぞれ独立して調整できるため、Ｚ軸を中心に回転方向の調整も可能である。
【０１１２】
（Ｚ方向調整）
図２５は上部取付部材４５が上部取付部材５５に取り付けられる状況を示す説明図である。同図(a) で示すように、スプリングプレート４５ｓ及びＺ方向調整用ネジ４５ｔを有する上部取付部材４５が、同図(b) に示すように、上部取付部材５５の右側面に上部取付部材４５の左側面のスプリングプレート４５ｓが当接するように、上部取付部材４５を上部取付部材５５に引っ掛けることにより、上部取付部材４５と上部取付部材５５との第１結合状態Ｊ１を実現している。
【０１１３】
同図(b) で示す第１結合状態Ｊ１において、Ｚ方向調整用ネジ４５ｔによるねじ締め具体によってＺ方向の位置調整を可能にしている。
【０１１４】
Ｚ方向調整用ネジ４５ｔを締める方向に回転させると、上部取付部材５５は固定されているため、Ｚ方向調整用ネジ４５ｔは図中左方向に進行不能である。このため、必然的に、上部取付部材４５がパンタグラフ後退方向Ｄ２６Ｒに移動する。一方、Ｚ方向調整用ネジ４５ｔを緩める方向に回転させると、逆に上部取付部材４５がパンタグラフ前進方向Ｄ２６Ｆに移動する。
【０１１５】
その結果、Ｚ方向調整用ネジ４５ｔによって薄型ディプレイ装置４０のＺ方向の調整をすることができる。
【０１１６】
図２６は下部配置部４６が下部配置台５６上に支持される状態等を示す説明図である。同図(a) は下部配置台５６の平坦面５６ｆ上に下部配置部４６（Ｙ方向調整用ネジ４６ｔ、可動部４６ａ，固定部４６ｂ）のＹ方向調整用ネジ４６ｔの先端部を支持することにより、第２結合状態Ｊ２を実現している。また、同図(b) は下部配置台５６の詳細を拡大して示している。
【０１１７】
図２６に示すように、下部配置台５６は下部配置部４６との第２結合状態Ｊ２時において平坦面５６ｆでネジ止めされているスプリングプレート５６ｓが裏面突出部４０Ｔの表面に当接する。このスプリングプレート５６ｓの当接度合をＺ方向調整用ネジ５６ｔのねじ締め具合によって調整することができる。
【０１１８】
すなわち、同図(b) に示すように、この第２結合状態Ｊ２に、Ｚ方向調整用ネジ５６ｔを締める方向に回転させると、Ｚ方向調整用ネジ５６ｔによるスプリングプレート５６ｓを介した裏面突出部４０Ｔへの押圧力は高まり、薄型ディプレイ装置４０をパンタグラフ前進方向Ｄ２６Ｆに移動させる。一方、Ｚ方向調整用ネジ５６ｔを緩める方向に回転させると、Ｚ方向調整用ネジ５６ｔによるスプリングプレート５６ｓを介した裏面突出部４０Ｔへの押圧力は弱まり薄型ディプレイ装置４０をパンタグラフ後退方向Ｄ２６Ｒに移動させる。その結果、Ｚ方向調整用ネジ５６ｔによってＺ方向の調整をすることができる。
【０１１９】
上記Ｚ方向の位置決めは、パンタグラフ構造２６ａ及び２６ｂに対応して設けられる２組の上部取付部材４５及び上部取付部材５５並びに２組の下部配置部４６及び下部配置台５６に対して行う。
【０１２０】
このように、本実施の形態において、Ｚ方向調整用ネジ４５ｔ及びスプリングプレート４５ｓを有する上部取付部材４５、及びスプリングプレート５６ｓ及びＺ方向調整用ネジ５６ｔを有する下部配置台５６は、それぞれ上記装着部に装着された薄型ディプレイ装置４０に対し、Ｚ方向に可変設定するＺ方向調整機構を含んでいるため、壁掛取付装置８に対する薄型ディプレイ装置４０のＺ方向の位置決めを精度良く行うことができる。
【０１２１】
なお、Ｚ方向の調整は２箇所の下部配置台５６及び２箇所の上部取付部材４５において４点の中の任意の３点で行うことにより薄型ディプレイ装置４０に対する精度の良いＺ方向の位置調整が可能である。
【０１２２】
（電動機構）
なお、Ｘ方向、Ｙ方向、Ｚ方向調整用のＸ方向調整用ネジ５９、Ｙ方向調整用ネジ４６ｔ、Ｚ方向調整用ネジ４５ｔ及びＺ方向調整用ネジ５６ｔのねじ締め度合の調整は通常は手動でネジを締めたり緩めたりして行う。この際、各調整用ネジのねじ締め調整をモーター付き治具等の電動駆動部を用いた電動駆動によって行うようにしても良い。
【０１２３】
この場合、電動駆動部により、Ｘ方向、Ｙ方向及びＺ方向の調整動作を迅速に外部から行うことができる効果を奏する。なお、上述した電動駆動部はＸ方向調整用ネジ５９、Ｙ方向調整用ネジ４６ｔ、Ｚ方向調整用ネジ４５ｔ及びＺ方向調整用ネジ５６ｔの少なくとも一つのネジに対し設けることにより、当該ネジについて迅速に外部から行うことができる効果を奏する。
【符号の説明】
【０１２４】
２  取付用金具、８，８ａ〜８ｉ  壁掛取付装置、１０  マウント部、１１ａ〜１１ｄ  マウント固定用穴、１２ａ，１２ｂ  デフォルト位置決め用穴、１４ａ〜１４ｆ  吸気口、１５  ディプレイ近接排気口、１６  排気口枠体、１７  外部排気口、２１，２２  水平フロントバー、２３ａ，２３ｂ  垂直フロントバー、２３ｒ  昇降領域、２４（２４ａ，２４ｂ），２５（２５ａ，２５ｂ）  クロスバー、２５ｐ  昇降ピン、２６（２６ａ，２６ｂ）  パンタグラフ構造、３１  ロック部材、３２  シャフト、３３  ロック解除用治具、３３ａ  プッシュプレート、３３ｂ  ストッパプレート、３４  スプリング部、３５  ストッパＳＷ、３８  リンクシャフト、３９  ガイド部、４０，４０ａ〜４０ｉ  薄型ディプレイ装置、４１  ハンドルユニット、４１ａ  ハンドル、４１ｂ  ピン、４１ｃ  プレート、４２  ホルダーユニット、４３  シャフト、４４  ノブ、４５，５５  上部取付部材、４５ｓ，５６ｓ  スプリングプレート、４５ｔ，５６ｔ  Ｚ方向調整用ネジ、４６  下部配置部、４６ａ  可動部、４６ｂ，５８  固定部、４６ｔ  Ｙ方向調整用ネジ、４７  上部開口領域、４９  スプリング部、５０  ロックプレート、５６  下部配置台、５７  Ｘ方向可動部、５９  Ｘ方向調整用ネジ。
【図１】
0005506312.tif 000002
【図２】
0005506312.tif 000003
【図３】
0005506312.tif 000004
【図４】
0005506312.tif 000005
【図５】
0005506312.tif 000006
【図６】
0005506312.tif 000007
【図７】
0005506312.tif 000008
【図８】
0005506312.tif 000009
【図９】
0005506312.tif 000010
【図１０】
0005506312.tif 000011
【図１１】
0005506312.tif 000012
【図１２】
0005506312.tif 000013
【図１３】
0005506312.tif 000014
【図１４】
0005506312.tif 000015
【図１５】
0005506312.tif 000016
【図１６】
0005506312.tif 000017
【図１７】
0005506312.tif 000018
【図１８】
0005506312.tif 000019
【図１９】
0005506312.tif 000020
【図２０】
0005506312.tif 000021
【図２１】
0005506312.tif 000022
【図２２】
0005506312.tif 000023
【図２３】
0005506312.tif 000024
【図２４】
0005506312.tif 000025
【図２５】
0005506312.tif 000026
【図２６】
0005506312.tif 000027